(57)【要約】【課題】  多数の多色ＬＥＤを均一に同時点灯可能なＬＥＤ制御回路を提供する。【解決手段】  電源リセットによって所定開始色から所定色順に所定終了色に至るまで点灯を繰り返すように構成された点灯回路内蔵の多色ＬＥＤ（９）を、同種同等複数個を同時点灯させるためのＬＥＤ制御回路（１）であって、同時点灯させようとする多色ＬＥＤ各々に電源を同時供給するための駆動回路（３）と、電源リセット後予め定めたリセット時間が経過したときにトリガー信号を出力するタイマー（５）と、を含めて構成してある。当該駆動回路が、電源リセット後に当該タイマーからのトリガー信号（Ｔｓ）を待って電源リセットを行う。電源リセットにより多色ＬＥＤの点灯色が一律に所定開始色に戻され点灯周期の不揃いが累積されないから、簡単な回路でありながら多数の多色ＬＥＤを均一に同時点灯させることができる。【選択図】  図１
2008166139.tif 000002
【特許請求の範囲】
【請求項１】
電源リセットによって所定開始色から所定色順に所定終了色に至るまで点灯を繰り返すように構成された点灯回路内蔵の多色ＬＥＤを、同種同等複数個を同時点灯させるためのＬＥＤ制御回路において、
同時点灯させようとする多色ＬＥＤ各々に電源を同時供給するための駆動回路と、
電源リセット後予め定めたリセット時間が経過したときにトリガー信号を出力するタイマーと、を含めて構成してあり、
当該駆動回路が、電源リセット後に当該タイマーからのトリガー信号を待って電源リセットを行うように構成してある
ことを特徴とするＬＥＤ制御回路。
【請求項２】
前記同時点灯させようとする多色ＬＥＤの個数がｎ個であるときの、多色ＬＥＤ各々の所定開始色の点灯開始から所定終了色の点灯終了に至るまでの点灯周期をＴ１〜Ｔｎと、かつ、点灯周期Ｔ１〜Ｔｎのうち最短の点灯周期をＴｍｉｎ、最長の点灯周期をＴｍａｘと、したときに、
前記リセット時間Ｒｔが、Ｔｍｉｎ＜Ｒｔ＜Ｔｍａｘの関係となるように前記タイマーを設定してある
ことを特徴とする請求項１記載のＬＥＤ制御回路。
【請求項３】
電源リセットによって所定開始色から所定色順に所定終了色に至るまで点灯を繰り返すように構成された点灯回路内蔵の多色ＬＥＤを、同種同等複数個を同時点灯させるためのＬＥＤ制御方法において、
電源リセット後予め定めたリセット時間が経過したときに電源リセットを行う
ことを特徴とするＬＥＤ制御方法。
【請求項４】
前記同時点灯させようとする多色ＬＥＤの個数がｎ個であるときの、多色ＬＥＤ各々の所定開始色の点灯開始から所定終了色の点灯終了に至るまでの点灯周期をＴ１〜Ｔｎとし、かつ、点灯周期Ｔ１〜Ｔｎのうち最短の点灯周期をＴｍｉｎ、最長の点灯周期をＴｍａｘとしたときに、
前記リセット時間をＲｔとしたときに、Ｔｍｉｎ＜Ｒｔ＜Ｔｍａｘの関係となるように設定してある
ことを特徴とする請求項３記載のＬＥＤ制御方法。
【請求項５】
前記ｎ個の多色ＬＥＤを、Ｔｍｉｎ＜Ｒｔ＜Ｔｍａｘの関係が形成されるように予め選別する
ことを特徴とする請求項４記載のＬＥＤ制御方法。
【請求項６】
請求項５記載のＬＥＤ制御方法における多色ＬＥＤの選別を、同時点灯させた被選別多色ＬＥＤ各々の光を撮影して得た撮影画像を解析することによって行う
ことを特徴とする請求項５記載のＬＥＤ制御方法。
【請求項７】
請求項５記載のＬＥＤ制御方法における多色ＬＥＤの選別を、同時点灯させた各々の光のうち予め定めた特定色成分を主として透過させるカラーフィルターを透して受光素子で受け、当該受光素子各々が得た当該特定色成分の検出レベルが所定レベルを超えたか否かによって判定することによって行う
ことを特徴とする請求項５記載のＬＥＤ制御方法。
【請求項８】
電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するためのＬＥＤ選別装置において、
被選別多色ＬＥＤ各々を着脱自在に接続するための接続構造と、
当該接続構造を介して被選別ＬＥＤ各々に電源を同時供給可能な駆動電源と、
点灯させた被選別多色ＬＥＤを撮影するための撮影手段と、
当該撮影手段が撮影した撮影画像を解析することによって、当該被選別ＬＥＤ各々の点灯周期を解析するための解析手段と、を含めて構成してある
ことを特徴とするＬＥＤ選別装置。
【請求項９】
電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するためのＬＥＤ選別装置において、
被選別多色ＬＥＤ各々を着脱自在に接続するための接続構造と、
当該接続構造を介して被選別多色ＬＥＤ各々に電源を同時供給可能な駆動電源と、
当該被選別多色ＬＥＤ各々が点灯する光を個別に受光可能に配した複数の受光素子と、
当該複数の受光素子と当該複数の多色ＬＥＤとの間に配されたカラーフィルターと、
当該カラーフィルターを透して当該受光素子各々が得た点灯色を判定することによって、当該被選別ＬＥＤ各々の点灯周期を判定するための判定手段と、を含めて構成してある
ことを特徴とするＬＥＤ選別装置。
【請求項１０】
電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するためのＬＥＤ選別方法において、
同時点灯させた被選別多色ＬＥＤ各々の光を撮影して得た撮影画像を解析することによって行う
ことを特徴とするＬＥＤ選別方法。
【請求項１１】
電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するためのＬＥＤ選別方法において、
同時点灯させた被選別多色ＬＥＤ各々の光をカラーフィルターを透して受光素子で受け、当該受光素子各々が得た点灯色を判定する
ことを特徴とするＬＥＤ選別方法。
【請求項１２】
請求項１又は２記載のＬＥＤ制御回路を内蔵する
ことを特徴とする電子機器。
【請求項１３】
電源リセットによって所定開始色から所定色順に所定終了色に至るまで点灯を繰り返すように構成された点灯回路内蔵の多色ＬＥＤを、同種同等複数個を同時点灯させるためのＬＥＤ制御回路において、
同時点灯させようとする多色ＬＥＤ各々に電源を同時供給するための駆動回路と、
当該多色ＬＥＤのうち一部又は全部の所定終了色を検出したときにトリガー信号を出力する検出回路と、を含めて構成してあり、
当該駆動回路が、電源リセット後に当該検出回路からのトリガー信号を待って電源リセットを行うように構成してある
ことを特徴とするＬＥＤ制御回路。
【発明の詳細な説明】
【技術分野】
【０００１】
本発明は、電源リセットによって所定開始色から所定終了色まで所定色順に点灯を繰り返すように構成された点灯回路内蔵の多色ＬＥＤを、複数個同時点灯させるためのＬＥＤ制御回路、ＬＥＤ制御方法、ＬＥＤ選別装置、ＬＥＤ選別方法及びＬＥＤ制御回路を内蔵する電子機器に関するものである。
【背景技術】
【０００２】
ＬＥＤ制御回路を内蔵する電子機器として、特許文献１に記載された電子機器（以下、「従来の電子機器」という）がある。従来の電子機器は、表面に文字・図形等を刻印した光透過性のパネルを立たせ、このパネル底面の長さ方向に沿って多色ＬＥＤを並べてあり、同時点灯した多色ＬＥＤの光が底面からパネル内に入って上記文字・図形等を点灯させるように構成されている。
【特許文献１】特開２００６-３０９２４号公報（段落０００４、図２参照）
【発明の開示】
【発明が解決しようとする課題】
【０００３】
フルカラーＬＥＤと呼ばれることもある多色ＬＥＤには、点灯回路を内蔵した点灯回路内蔵型の多色ＬＥＤと、点灯回路を内蔵しないＲＧＢ独立型の多色ＬＥＤとの少なくとも２種類ある。前者は、電源リセットによって所定開始色から所定色順に所定終了色に至るまで点灯を繰り返すように構成されている。点灯繰り返しは、点灯回路内蔵型の多色ＬＥＤの場合は内蔵された点灯回路の働きによるものである一方、ＲＧＢ独立型の多色ＬＥＤの場合は外部の制御回路による制御によるものである。本件発明は、この点灯回路内蔵型の多色ＬＥＤを対象とする。よって、以下の記載は、特に明示しない限り、点灯回路内蔵型の多色ＬＥＤを前提とする。この前提の下で、発明が解決しようとする課題について説明する。すなわち、所定開始色の点灯開始から所定終了色の点灯終了に至るまでの点灯周期は、同じ定格であっても、複数の多色ＬＥＤ間で比較した場合に一致することは極めて少ない。つまり、点灯周期の不揃いがある。素子や点灯回路のバラツキや発熱量の違い、さらに、周囲温度の異なり等が、点灯周期不揃いの一般的原因である。多色ＬＥＤが、たとえば、携帯電話の着信や通話を示すために用いられたとしよう。携帯電話に用いられるとしたなら、その多色ＬＥＤの個数は、通常は１個である。1個であるから、同時に点灯する比較相手となる多色ＬＥＤが存在しないので点灯周期が問題になることはほとんどないであろう。他方、たとえば、上述した従来の電子機器のように、多数の多色ＬＥＤを同時に点灯させようとする機器において、点灯周期の不一致が問題となる場合がある。すなわち、不揃いの度合いが高いと、多数の多色ＬＥＤが同時に、ある色（たとえば、「赤」）を点灯しなければならないときに、その中のうちいずれかの多色ＬＥＤが、赤以外の色（たとえば、「白」）を点灯したとするなら、違う色を点灯する多色ＬＥＤの数や全体に対する割合が過度となると、全体の点灯色に斑やムラが生じたり、求める赤とは違う色に見えたりするという不都合が生じる。このような色違いは、当該多色ＬＥＤの所定開始色の点灯開始から所定終了色の点灯終了までの期間（点灯周期）のズレが累積し、その累積ズレが１色分の点灯時間を上回ったときに生じる。上記した点灯周期の不揃いは、前述したＲＧＢ独立型の多色ＬＥＤのように個々の多色ＬＥＤを個々に制御することができるものであればその制御によって解消することが可能ではあろうが、そのような個々の制御は制御回路を複雑化する一方、コスト高でもある。本発明が解決しようとする課題は、上述した問題点を解決することにある。すなわち、複雑な制御回路を要することなく安価でありながら、多数の多色ＬＥＤを均一に同時点灯可能なＬＥＤ制御回路、ＬＥＤ制御方法、ＬＥＤ選別装置、ＬＥＤ選別方法及びＬＥＤ制御回路を内蔵する電子機器を提供することが、本発明が解決しようとする課題である。
【課題を解決するための手段】
【０００４】
上記課題を解決するために発明者は、多色ＬＥＤが初期点灯を含む電源リセット（電源を一端オフにした後にオンすること）によって所定開始色から所定色順に所定終了色に至るまで点灯を繰り返すこと、つまり、点灯中に電源リセットすることによって点灯中の色を消灯して所定開始色から点灯を再開する点に着目した。この点を利用して、点灯周期が不揃いの多色ＬＥＤ群における、当該点灯周期の終期を予め定めておき、その終期到来を待って電源リセットするように構成した。電源リセットによって、多色ＬＥＤの点灯色を一律に所定開始色に戻し、この戻しによって点灯周期の不揃い（ズレ）の蓄積を解消するためである。本発明は、上記着目に基づいてなされたものである。その詳しい内容については、項を改めて説明する。なお、何れかの請求項記載の発明を説明するに当たって行う解釈や用語の定義等は、発明の記載順やカテゴリー等の違いに関わらず、その性質上可能な範囲において他の請求項記載の発明にも適用されるものとする。
【０００５】
（請求項１記載の発明の特徴）
請求項１記載の発明に係るＬＥＤ制御回路（以下、適宜「請求項１の制御回路」という）は、電源リセットによって所定開始色から所定色順に所定終了色に至るまで点灯を繰り返すように構成された点灯回路内蔵の多色ＬＥＤを、同種同等複数個を同時点灯させるための回路である。請求項１の制御回路は、同時点灯させようとする多色ＬＥＤ各々に電源を同時供給するための駆動回路と、電源リセット後予め定めたリセット時間が経過したときにトリガー信号を出力するタイマーと、を含めて構成してあり、当該駆動回路が、電源リセット後に当該タイマーからのトリガー信号を待って電源リセットを行うように構成してある。
【０００６】
請求項１の制御回路によれば、点灯中の多色ＬＥＤ群が、電源リセットによって点灯中であった色を消灯して所定開始色から再点灯する。つまり、たとえば、赤を所定開始色とする多色ＬＥＤについて、それが、たとえば、白を点灯しているときに電源リセットすると、点灯していた白が消灯して赤を点灯する。このように、点灯周期にある程度の不揃いがあったとしても、ある時点（好ましくは、所定開始色に戻る直前の所定終了色が点灯しているとき）において、その時点の点灯色を消灯してまだズレが生じていない所定開始色に一律に戻させることによって、ある時点で生じていた不揃いによるズレを蓄積させることなく解消することができる。ズレの解消によって、同時点灯する多数の多色ＬＥＤ全体の点灯色の斑やムラ、さらに、求める色以外の色が混在する、という不都合を生じさせることなく略均一な点灯色を得ることができる。なお、多色ＬＥＤ群の電源は駆動回路によって供給され、電源リセットは、駆動回路がタイマーからトリガー信号を受けたときに駆動回路によって行われる。請求項１の制御回路によれば、個々の多色ＬＥＤを個別制御するような複雑な制御回路を要しない。しかも、安価でありながら、多数の多色ＬＥＤを少なくとも所定開始色において同時点灯させることができる。
【０００７】
（請求項２記載の発明の特徴）
請求項２記載の発明に係るＬＥＤ制御回路（以下、適宜「請求項１の制御回路」という）では、請求項１の制御回路の好ましい態様として、前記同時点灯させようとする多色ＬＥＤの個数がｎ個であるときの、多色ＬＥＤ各々の所定開始色の点灯開始から所定終了色の点灯終了に至るまでの点灯周期をＴ１〜Ｔｎと、かつ、点灯周期Ｔ１〜Ｔｎのうち最短の点灯周期をＴｍｉｎ、最長の点灯周期をＴｍａｘと、したときに、前記リセット時間Ｒｔが、Ｔｍｉｎ＜Ｒｔ＜Ｔｍａｘの関係となるように前記タイマーを設定してある。すなわち、最長点灯周期と最短点灯周期との間にリセット時間が入るようになっている。
【０００８】
請求項２の制御回路によれば、請求項１の制御回路の作用効果に加え、最長点灯周期と最短点灯周期との間にリセット時間が入っているので、多色ＬＥＤ各々が点灯可能な全ての色を、１回の点灯周期の中で各々１回ずつ点灯させることができる。つまり、最短点灯周期よりもリセット時間が短いと、たとえば、所定終了色が点灯されることなく電源リセットされる場合がない。他方、最長点灯周期よりもリセット時間が長いと、たとえば、点灯周期が一回りして所定開始色が再点灯した後にトリガー信号が出されると、１回の点灯周期の中に所定開始色を少なくとも２回点灯することになる。いずれにしろ、点灯色全体を見たときに、円滑な色変化とはいえない場合もある。前記範囲にリセット時間を設定することによって、上述したような不都合を回避することができる。
【０００９】
（請求項３記載の発明の特徴）
請求項３記載の発明に係るＬＥＤ制御方法（以下、適宜「請求項３の制御方法」という）は、電源リセットによって所定開始色から所定色順に所定終了色に至るまで点灯を繰り返すように構成された点灯回路内蔵の多色ＬＥＤを、同種同等複数個を同時点灯させるための制御方法である。請求項３の制御方法によれば、電源リセット後予め定めたリセット時間が経過したときに電源リセットを行うものである。
【００１０】
請求項３の制御方法によれば、点灯中の多色ＬＥＤ群が、電源リセットによって点灯中であった色を消灯して所定開始色から再点灯する。つまり、たとえば、赤を所定開始色とする多色ＬＥＤについて、それが、たとえば、白を点灯しているときに電源リセットすると、点灯していた白が消灯して赤を点灯する。このように、点灯周期にある程度の不揃いがあったとしても、ある時点（好ましくは、所定開始色に戻る直前の所定終了色が点灯しているとき）において、その時点の点灯色を消灯してまだズレが生じていない所定開始色に一律に戻させることによって、ある時点で生じていた不揃いによるズレを蓄積させることなく解消することができる。ズレの解消によって少なくとも所定開始色において、同時点灯する多数の多色ＬＥＤ全体の点灯色の斑やムラ、さらに、求める色以外の色が混在する、という不都合を生じさせることなく略均一な点灯色を得ることができる。請求項３の制御方法によれば、個々の多色ＬＥＤを個別制御するような複雑な制御を行う必要がない。
【００１１】
（請求項４記載の発明の特徴）
請求項４記載の発明に係るＬＥＤ制御方法（以下、適宜「請求項４の制御方法」という）では、請求項３の制御方法の好ましい態様として、前記同時点灯させようとする多色ＬＥＤの個数がｎ個であるときの、多色ＬＥＤ各々の所定開始色の点灯開始から所定終了色の点灯終了に至るまでの点灯周期をＴ１〜Ｔｎとし、かつ、点灯周期Ｔ１〜Ｔｎのうち最短の点灯周期をＴｍｉｎ、最長の点灯周期をＴｍａｘとしたときに、前記リセット時間をＲｔとしたときに、Ｔｍｉｎ＜Ｒｔ＜Ｔｍａｘの関係となるように設定してある。
【００１２】
請求項４の制御方法によれば、請求項３の制御方法の作用効果に加え、最長点灯周期と最短点灯周期との間にリセット時間が入っているので、多色ＬＥＤ各々が点灯可能な全ての色を、１回の点灯周期の中で各々１回ずつ点灯させることができる。つまり、最短点灯周期よりもリセット時間が短いと、たとえば、所定終了色が点灯されることなく電源リセットされる場合がない。他方、最長点灯周期よりもリセット時間が長いと、たとえば、点灯周期が一回りして所定開始色が再点灯した後にトリガー信号が出されると、１回の点灯周期の中に所定開始色を少なくとも２回点灯することになる。いずれにしろ、点灯色全体を見たときに、円滑な色変化とはいえない場合もある。前記範囲にリセット時間を設定することによって、上述したような不都合を回避することができる。
【００１３】
（請求項５記載の発明の特徴）
請求項５記載の発明に係るＬＥＤ制御方法（以下、適宜「請求項５の制御方法」という）では、請求項４の制御方法の好ましい態様として、前記ｎ個の多色ＬＥＤを、Ｔｍｉｎ＜Ｒｔ＜Ｔｍａｘの関係が形成されるように予め選別しておくとよい。
【００１４】
請求項５の制御方法によれば、ｎ個の多色ＬＥＤには上記関係が形成されているので、請求項４の制御方法の作用効果を確実に得ることができる。
【００１５】
（請求項６記載の発明の特徴）
請求項６記載の発明に係るＬＥＤ制御方法（以下、適宜「請求項６の制御方法」という）では、請求項５の制御方法における好ましい態様として、多色ＬＥＤの選別を、画像処理により行うとよい。
【００１６】
請求項６の制御方法によれば、画像処理によって多色ＬＥＤの選別を行うので、少なくとも目視による選別に比べて短時間で正確に選別することができる。
【００１７】
（請求項７記載の発明の特徴）
請求項７記載の発明に係るＬＥＤ制御方法（以下、適宜「請求項７の制御方法」という）では、請求項５の制御方法における好ましい態様として、同時点灯させた各々の光のうち予め定めた特定色成分を主として透過させるカラーフィルターを透して受光素子で受け、当該受光素子各々が得た当該特定色成分の検出レベルが所定レベルを超えたか否かによって判定することにより行うとよい。
【００１８】
請求項７の制御方法によれば、カラーフィルターを通すことによって、そのカラーフィルターを透過した特定色成分（たとえば、「赤成分」とする）だけが判定対象となるから、特定色を含めた多色を判定対象とする場合に比べて判定精度を高めることができる。なお、上記例のように、「赤成分」を特定色成分とした場合は、肉眼で見た赤のほか、黄、ピンク及び白の３色も特定色成分を含む色ということになる。
【００１９】
（請求項８記載の発明の特徴）
請求項８記載の発明に係るＬＥＤ選別装置（以下、適宜「請求項８の選別装置」という）は、電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するための選別装置である。請求項８の選別装置は、被選別多色ＬＥＤ各々を着脱自在に接続するための接続構造と、当該接続構造を介して被多色選別ＬＥＤ各々に電源を同時供給可能な駆動電源と、点灯させた被選別ＬＥＤを撮影するための撮影手段（たとえば、ＣＣＤカメラ）と、当該撮影手段が撮影した撮影画像を解析することによって、当該被選別ＬＥＤ各々の点灯周期を解析するための解析手段と、を含めて構成してある。多色ＬＥＤ群と撮影手段との間に、特定色成分（たとえば、「赤成分」）を主として透過させるカラーフィルターを配することによって、撮影手段が特定色成分を主として撮影するように構成してもよい。撮影対象となる色成分を特定色成分に絞り込むことによって、解析対象を単純化して解析の容易化を図るためである。
【００２０】
請求項８の選別装置によれば、撮影手段を介して多色ＬＥＤ各々の点灯色を撮影画像として取り込み、この撮影画像を解析することによって複数ある多色ＬＥＤ各々の点灯周期を同時解析することができる。多色ＬＥＤ1個1個の点灯周期を個別計測するとすれば煩雑な作業となるが、上記の同時解析によれば点灯周期が所定範囲内にあるか否かの判断を容易に、かつ、短時間に行うことができる。
【００２１】
（請求項９記載の発明の特徴）
請求項９記載の発明に係るＬＥＤ選別装置（以下、適宜「請求項９の選別装置」という）は、電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するための選別装置である。請求項９の選別装置によれば、被選別多色ＬＥＤ各々を着脱自在に接続するための接続構造と、当該接続構造を介して被選別多色ＬＥＤ各々に電源を同時供給可能な駆動電源と、当該被選別多色ＬＥＤ各々が点灯する光を個別に受光可能に配した複数の受光素子と、当該複数の受光素子と当該複数の多色ＬＥＤとの間に配されたカラーフィルターと、当該カラーフィルターを透して当該受光素子各々が得た点灯色を判定することによって、当該被選別ＬＥＤ各々の点灯周期を判定するための判定手段と、を含めて構成してある。
【００２２】
請求項９の選別装置によれば、多色ＬＥＤ各々の点灯色を各受光素子によって電気信号に変換し、その電気信号に基づいて点灯周期を判定する。複数ある多色ＬＥＤ各々の点灯周期を同時判定が可能である。多色ＬＥＤ1個1個の点灯周期を個別計測するとすれば煩雑な作業となるが、上記の同時判定によれば点灯周期が所定範囲内にあるか否かの判断を容易に、かつ、短時間に行うことができる。なお、カラーフィルターは、受光素子に特定色成分（たとえば、「赤成分」）を主として受光させ、判定対象となる色成分を絞り込むことによって、判定対象を単純化して解析の容易化する機能を有している。
【００２３】
（請求項１０記載の発明の特徴）
請求項１０記載の発明に係るＬＥＤ選別方法（以下、適宜「請求項１０の選別方法」という）は、電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するための選別方法である。請求項１０の選別方法によれば、同時点灯させた被選別多色ＬＥＤ各々の光を撮影して得た撮影画像を解析することによって行う。
【００２４】
請求項１０の選別方法によれば、多色ＬＥＤ各々の点灯色を撮影画像として取り込み、この撮影画像を解析することによって複数ある多色ＬＥＤ各々の点灯周期を同時解析することができる。多色ＬＥＤ1個1個の点灯周期を個別計測するとすれば煩雑な作業となるが、上記の同時解析によれば点灯周期が所定範囲内にあるか否かの判断を容易に、かつ、短時間に行うことができる。
【００２５】
（請求項１１記載の発明の特徴）
請求項１１記載の発明に係るＬＥＤ選別方法（以下、適宜「請求項１１の選別方法」という）は、電源リセットによって所定開始色から所定色順に所定終了色に至るまで点灯を繰り返すように構成された点灯回路内蔵の多色ＬＥＤを、所定開始色の点灯開始から所定終了色の点灯終了に至るまでの点灯周期が所定範囲内にあるか否かの観点から複数同時選別するための選別方法である。請求項１１の選別方法によれば、同時点灯させた被選別多色ＬＥＤ各々の光をカラーフィルターを透して受光素子で受け、当該受光素子各々が得た点灯色を判定する。
【００２６】
請求項１１の選別方法によれば、多色ＬＥＤ各々の点灯色を各受光素子によって電気信号に変換し、その電気信号に基づいて点灯周期を判定する。複数ある多色ＬＥＤ各々の点灯周期を同時判定が可能である。多色ＬＥＤ1個1個の点灯周期を個別計測するとすれば煩雑な作業となるが、上記の同時判定によれば点灯周期が所定範囲内にあるか否かの判断を容易に、かつ、短時間に行うことができる。なお、カラーフィルターは、受光素子に特定色成分（たとえば、「赤成分」）を主として受光させ、判定対象となる色成分を絞り込むことによって、判定対象を単純化して解析の容易化する機能を有している。
【００２７】
（請求項１２記載の発明の特徴）
請求項１２記載の発明に係る電子機器（以下、適宜「請求項１２の電子機器」という）は、請求項１又は２のＬＥＤ制御回路を内蔵する電子機器である。
【００２８】
請求項１２の電子機器によれば、請求項１又は２の駆動回路を内蔵しているので、ある時点で生じていた点灯周期の不揃いによるズレを蓄積されることなく解消されている。このズレの解消によって、同時点灯する多数の多色ＬＥＤ全体の点灯色の斑やムラ、さらに、求める色以外の色が混在する、という不都合を生じさせることなく均一な点灯色を得ることができる。したがって、たとえば、多色ＬＥＤを複数同時点灯させる形式の照明装置のような電子機器において、均一な点灯色を得ることができる。請求項１２の電子機器によれば、個々の多色ＬＥＤを個別制御するような複雑な制御回路を要しない。しかも、安価でありながら、多数の多色ＬＥＤを略均一に同時点灯させることができる。
【００２９】
（請求項１３記載の発明の特徴）
請求項１３記載の発明に係るＬＥＤ制御回路（以下、適宜「請求項１３の制御回路」という）は、電源リセットによって所定開始色から所定色順に所定終了色に至るまで点灯を繰り返すように構成された点灯回路内蔵の多色ＬＥＤを、同種同等複数個を同時点灯させるための回路である。請求項１３の制御回路は、同時点灯させようとする多色ＬＥＤ各々に電源を同時供給するための駆動回路と、当該多色ＬＥＤのうち一部又は全部の所定終了色を検出したときにトリガー信号を出力する検出回路と、を含めて構成してあり、当該駆動回路が、電源リセット後に当該検出回路からのトリガー信号を待って電源リセットを行うように構成してある。
【００３０】
請求項１３の制御回路によれば、点灯中の多色ＬＥＤ群が、いずれかの多色ＬＥＤの所定終了色点灯によって点灯中であった色を消灯して所定開始色から再点灯する。つまり、たとえば、赤を所定開始色とする多色ＬＥＤについて、それが、たとえば、白を点灯しているときに電源リセットすると、点灯していた白が消灯して赤を点灯する。このように、点灯周期にある程度の不揃いがあったとしても、ある時点（好ましくは、所定開始色に戻る直前の所定終了色が点灯しているとき）において、その時点の点灯色を消灯してまだズレが生じていない所定開始色に一律に戻させることによって、ある時点で生じていた不揃いによるズレを蓄積させることなく解消することができる。ズレの解消によって、同時点灯する多数の多色ＬＥＤ全体の点灯色の斑やムラ、さらに、求める色以外の色が混在する、という不都合を生じさせることなく略均一な点灯色を得ることができる。なお、多色ＬＥＤ群の電源は駆動回路によって供給され、電源リセットは、駆動回路が検出回路からトリガー信号を受けたときに駆動回路によって行われる。請求項１３の制御回路によれば、個々の多色ＬＥＤを個別制御するような複雑な制御回路を要しない。しかも、安価でありながら、多数の多色ＬＥＤを少なくとも所定開始色において同時点灯させることができる。
【発明の効果】
【００３１】
本発明に係るＬＥＤ制御回路によれば、個々の多色ＬＥＤを個別制御するような複雑な制御回路を要しない。しかも、安価でありながら、多数の多色ＬＥＤを均一に同時点灯させることができる。同じくＬＥＤ制御方法、ＬＥＤ選別装置、ＬＥＤ選別方法及びＬＥＤ制御回路を内蔵する電子機器によっても、上記同様の効果が得られる。
【発明を実施するための最良の形態】
【００３２】
各図を参照しながら、本発明の実施の形態（以下、適宜「本実施形態」という）について説明する。図１は、ＬＥＤ制御回路を内蔵する電子機器（照明装置）の斜視図である。図２は、図１に示す電子機器の右側面図である。図３は、画像型選別装置の概略斜視図である。図４は、画像型選別装置の動作原理を示す図である。図５及び６は、受光素子型選別装置のブロック図である。図７は、受光素子型選別装置の出力波形を示すグラフ図である。図８は、本実施形態の変形例に係るＬＥＤ制御回路を内蔵する電子機器の斜視図である。
【００３３】
（ＬＥＤ制御回路の概略構造）
図１を参照しながら、本実施形態に係るＬＥＤ制御回路（以下、適宜「制御回路」という）の概略構造について説明する。制御回路１は、本実施形態に係るＬＥＤ制御方法を実施するために好適である。制御回路１は、同種同等複数の多色ＬＥＤ９，・・（「多色ＬＥＤ群９」と表記する場合もある）を同時点灯させるための回路であって、駆動回路３と、タイマー５と、により概略構成してある。駆動回路３は電源部３Ｐと制御部３Ｃとにより概略構成してあり、制御部３Ｃの制御によって多色ＬＥＤ群９を同時に点灯させ同時に消灯させられるようになっている。点灯と消灯は繰り返し行えるようになっていて、同時点灯している多色ＬＥＤ群９を消灯させた後、再点灯させることを本明細書では「電源リセット」と呼ぶ。制御部３Ｃは、トリガー信号Ｔｓを待って駆動回路３に電源リセットを行わせるように構成してある。トリガー信号Ｔｓは、タイマー５によって出力される。タイマー５は、上述したトリガー信号Ｔｓを出力する機能を有するが、このトリガー信号Ｔｓは、予め定めたリセット時間Ｒｔ経過ごとに出力するように設定してある。具体的には、制御部３Ｃとタイマー５は、マイコン７により構成してある。マイコンの代わりに、外付けのコンピュータ（図示を省略）等を用いることもできる。リセット時間Ｒｔは、制御対象である多色ＬＥＤ９，・・個々の点灯周期Ｔに基づいて定める。点灯周期Ｔについては、次項において詳述する。
【００３４】
（多色ＬＥＤの構造）
多色ＬＥＤ９は、電源リセットによって所定開始色から所定色順に終了色に至るまで点灯を繰り返すように構成された点灯回路内蔵のＬＥＤである。フルカラーＬＥＤと呼ばれることもある。各多色ＬＥＤは、所定開始色の点灯開始から所定終了色の点灯終了に至るまでの点灯周期Ｔを持っていて、この点灯周期Ｔは、同種同等の多色ＬＥＤの間にあってもほとんど一致していない。すなわち、不揃いである。ここで、１，２，...ｎ個の多色ＬＥＤ９，・・があるとすれば、Ｔ１，Ｔ２，...Ｔｎという点灯周期が存在するといってよい。本実施形態で採用した多色ＬＥＤ９各々は、電源リセット後、赤→緑→青→黄色→水色→ピンク→白の順で繰り返し点灯するように構成されている。所定開始色は赤、所定終了色は白である。上記７色各々の点灯時間は、概ね各色４乃至６秒であり、したがって、多色ＬＥＤ９の点灯周期は概ね４０秒前後となる。
【００３５】
上述したように、本実施形態で採用した多色ＬＥＤ９，・・の点灯周期Ｔは４０秒前後であるが、発明者らが２０個前後の同種同等の多色ＬＥＤ９，・・を実測したところ点灯周期の差が最短と最長との間で４秒を超えるものがあった。具体例でいえば、ある多色ＬＥＤ９が所定終了色である白を点灯している最中に、他の多色ＬＥＤ９，・・は白の点灯を終了して次の点灯周期における赤を点灯している現象が発生する。このような色ズレは、多色ＬＥＤ群９の同時点灯にとって色斑等の原因となるので極力排除することが好ましい。そのためには、ｎ個の多色ＬＥＤ９，・・の点灯周期Ｔ１〜Ｔｎの不揃いを一定範囲に抑える方法がある。具体的には、点灯周期Ｔ１〜Ｔｎのうち最短の点灯周期Ｔｍｉｎが終了しないうちに、同じく最長の点灯周期Ｔｍａｘにおける所定終了色が点灯開始するような相互関係を有する多色ＬＥＤ９，・・によって多色ＬＥＤ群９を構成すればよい。本実施形態では、制御回路１によって制御しようとする多色ＬＥＤを上記趣旨に基づいて選別した。その選別した多色ＬＥＤ群９を制御回路１で制御するときのリセット時間Ｒｔは、Ｔｍｉｎ＜Ｒｔ＜Ｔｍａｘとなるように設定する。Ｔ１〜Ｔｎのうち、Ｔｍｉｎは最短の点灯周期であり、Ｔｍａｘは最長の点灯周期である。選別を前提として上記設定を行えば、先行する点灯周期の中で所定終了色の点灯が始まらないうちに、後行する点灯周期の中で所定開始色の点灯が始まってしまうという上述した不都合を回避することができるからである。多色ＬＥＤの選別方法及び選別装置については後述する。
【００３６】
（本実施形態特有の作用効果）
制御回路１によれば、電源投入によって点灯した多色ＬＥＤ群９が、電源リセットによって点灯中であった色を消灯して所定開始色から再点灯する。つまり、赤を所定開始色とする多色ＬＥＤについて、それが、たとえば、白を点灯しているときに電源リセットすると、点灯していた白が消灯して赤を点灯する。上記例について、より具体的に説明する。たとえば、ある多色ＬＥＤ９が白の点灯を終えて次の周期の赤の点灯を開始した時点で他の多色ＬＥＤ９が未だ白を点灯中であるとした場合を想定する。ここで、電源リセットがなされると、赤を点灯していた前者の多色ＬＥＤ９はその点灯中の赤を消灯して赤点灯を開始（再開）する一方、白点灯していた後者の多色ＬＥＤ９はその点灯中の白を消灯して前者の赤点灯開始と同時に赤点灯を開始する。赤の同時点灯によって、上記２者間の点灯周期のズレが解消される。多色ＬＥＤ群の電源は駆動回路３によって供給され、電源リセットは、駆動回路３がタイマー５からトリガー信号Ｔｓを受けたときに駆動回路３によって行われる。制御回路１による制御によれば、点灯周期の不揃いが甚だしい場合には、前述した７色のうちの何れかの色（たとえば、「白」）を点灯する前にトリガー信号Ｔｓが出力されたり、上記例において白を点灯はしたが点灯時間が極めて短いうちにトリガー信号Ｔｓが出力されることもありうる。しかし、電源リセットを行うことによって、点灯周期の不揃いの蓄積を防ぎ、これが、点灯色の統一を保つ。制御回路１によれば、個々の多色ＬＥＤ９を個別制御するような複雑な制御回路を要しないため、極めて安価な回路である。
【００３７】
（ＬＥＤ制御回路の適用例）
上述した制御回路１を備える電子機器について説明する。図１及び２における符号１０１は、電子機器の一例である照明装置を示している。照明装置１０１は、表面に文字・図形等（符号Ｇで示す）を刻印した光透過性のパネル１０３を基台１０２に立たせ、このパネル１０３底面の長さ方向に沿って多色ＬＥＤ９，・・を並べてあり、同時点灯した多色ＬＥＤの光が底面からパネル内に入って上記文字・図形等を点灯させるように構成してある。多色ＬＥＤ９，・・は、内蔵する制御回路１により同時点灯制御されるようになっている。制御回路１は、多色ＬＥＤ９，・・を取り付けた基板１０５に組み込んであり、基板１０５は、基台１０２の中に内蔵されている。上述した照明装置は、制御回路を備える電子機器の一例であって、これ以外であっても、上記制御回路を備え複数の多色ＬＥＤを同時点灯させる機器は、本件発明に係る電子機器に該当する。たとえば、多色ＬＥＤを多数個集合させて構成したランプやイルミネーション、さらに、クリスマスツリーなどを飾るために電線で繋がれた電飾ランプ等を点灯させる装置にも制御回路が組み込まれており、これらの装置は上記電子機器の典型例である。
【００３８】
（多色ＬＥＤの選別方法）
多色ＬＥＤの具体的な選別方法について説明する。本実施形態で採用した多色ＬＥＤの選別方法（以下、単に「選別方法」という）には、たとえば、次に述べる２種類の方法がある。最初の選別方法は、ＣＣＤカメラを用いた画像処理による選別方法であり、次の選別方法は受光素子を用いて選別する選別方法である。以下、順に説明する。
【００３９】
（画像処理による選別方法）
図３及び４に基づいて、画像処理により多色ＬＥＤを選別するＬＥＤ選別装置（以下、単に「画像型選別装置」という）について説明する。画像型選別装置２１は、被選別多色ＬＥＤ各々９を着脱自在に接続するための複数のソケット（接続構造）２３（ソケット群２）と、ソケット群２３を介して被選別多色ＬＥＤ９各々に電源を同時供給可能な駆動電源２５と、点灯させた被選別ＬＥＤ群９を撮影するためのＣＣＤカメラ（撮影手段）２７と、ＣＣＤカメラ２７が撮影した撮影画像を解析することによって、当該被選別ＬＥＤ各々の点灯周期を解析するためのコンピュータ（解析手段）２９と、を含めて構成してある。ソケット群２３を構成する各ソケットは、ソケット基板２２に固定してあり、各ソケットは升目状に配して並列接続してある。並列接続したのは、被選別多色ＬＥＤ９の各々に電源を同時供給可能とするためである。コンピュータ２９は、駆動電源２５を制御する機能をも有している。
【００４０】
画像処理装置２１を用いた画像処理による多色ＬＥＤの選別方法は、次のとおりである。まず、図３に示すように複数（本実施形態では、２５個）被選別多色ＬＥＤ９の各々をソケット群２３に差し込み升目状に配置する。次に被選別多色ＬＥＤ群を一度に撮影可能な位置にカメラ２７を設置する。図３では図示を省略したが、ＣＣＤカメラ２７は、これを固定スタンド等を用いて動かないようにしておくことが好ましい。ここで、駆動電源２５を駆動させて被選別多色ＬＥＤ９各々を同時点灯させ、ＣＣＤカメラ２７による撮影を行う。撮影は、被選別多色ＬＥＤ９各々が、少なくとも１回の点灯周期Ｔを終了するまで行う。ＣＣＤカメラ２７の撮影画像は、コンピュータ２９に取り込まれ解析される。
【００４１】
すなわち、取り込まれた撮影画像は、予め設定してあるフレームレート（フレーム間隔）に基づいて作成される複数のフレームＦ１〜Ｆｎに、それぞれ表示される。ここで、予め定めてある特定色成分（ここでは、「赤成分」とする）の波長に着目しながら、各フレームＦ１〜Ｆｎに表示された画像を解析する。すなわち、赤そのものの赤成分ほかに、黄、ピンク及び白の３色に含まれる赤成分を主として通過させるカラーフィルター（図示を省略）を多色ＬＥＤ９，・・とＣＣＤカメラ２７との間に配することにより行う手法もあるが、本実施形態では、コンピュータ２９にインストールした画像解析ソフトにより特定色成分を設定（抽出）する手法を採用した。解析について、より具体的に説明する。ここで、まず、図４に示す多色ＬＥＤ（Ｄ１）及び多色ＬＥＤ（Ｄ２）に着目する。図４の右に示す両グラフは、多色ＬＥＤ（Ｄ１）と多色ＬＥＤ（Ｄ２）のそれぞれに対応させてあり、それぞれ横軸は周期を縦軸は特定色成分をデジタル化して示したものである。すなわち、特定色成分のレベルと予め定めてある閾値と比較してその閾値を超えたときにＨｉｇｈ信号を、超えないときにＬｏｗ信号をデジタル表示するのが縦軸である。まず、多色ＬＥＤ（Ｄ１）を例にして説明する。フレームＦ１及びフレームＦ２上の多色ＬＥＤ（Ｄ１）は赤を示しているが、フレームＦ３上では赤以外の色（たとえば、「緑」）を示している。したがって、フレームＦ１及びフレームＦ２に対応するグラフＤ１の部位には（閾値を超えたレベルの）赤成分が検出されたことが示されているが、フレーム３に対応する部位には検出されたことが示されていない。また、フレームＦｎ上にも赤が示され、その波形がフレームＦ１上の波形が周期的に検出されたものであるときに、フレームＦ１上の上記波形の立ち上がりの時点から、フレームＦｎの立下りの時点までの長さを、多色ＬＥＤ（Ｄ１）の点灯周期Ｔｄ１として把握する。多色ＬＥＤ（Ｄ２）又はそれ以外の多色ＬＥＤについても、上記同様の手法でそれぞれの点灯周期Ｔｄ２を把握する。把握したそれぞれの多色ＬＥＤ（Ｄ１），（Ｄ２）の点灯周期Ｔｄ１，Ｔｄ２は、それらを比較してその差が所定範囲（たとえば、各色の点灯時間の範囲）を超えるものがあるときに、その超えたものに係る多色ＬＥＤがどの多色ＬＥＤなのかを把握するようにしてもよい。多色ＬＥＤ各々９をソケット２３から取り外すことにより選別作業を終了する。
【００４２】
（受光素子による選別方法）
図５及び６に基づいて、受光素子を用いて多色ＬＥＤを選別するＬＥＤ選別装置（以下、単に「受光型選別装置」という）について説明する。受光型選別装置３１は、被選別多色ＬＥＤ９の各々を着脱自在に接続するためのソケット（接続構造）３３（ソケット群３３）と、ソケット群３３を介して被選別多色ＬＥＤ９の各々に電源を同時供給可能な駆動電源３５と、被選別多色ＬＥＤ９の各々が点灯する光を個別に受光可能に配した複数の受光素子３７（受光素子群３７）と、複数の受光素子３７と複数の多色ＬＥＤ９との間に配されたカラーフィルター３９と、判定手段４１と、により概ね構成してある。ソケット３３は前述したソケット２３と、駆動電源３５は前述した駆動電源２５と、それぞれ同じ機能を有している。カラーフィルター３９は、特定色成分（ここでは「赤成分」とする）を最もよく通過させるためのフィルターである。受光素子３７は、各々がカラーフィルター３９を挟んで対向する被選別多色ＬＥＤ９と対応するように配してある。被選別多色ＬＥＤ９の点灯色（赤成分を含む色）は、カラーフィルター３９を透け、対応する受光素子３７に受光される。受光した受光素子３７は、これを電気信号に変換して出力する。カラーフィルター３９を設けた理由は、受光素子３７に受光される色成分を特定色成分に絞り込むことによって受光素子３７から出力される電気信号（検出信号）を単純化して判定の容易化を図るためである。すなわち、カラーフィルター３９を設けないとすれば、上記例における赤成分以外の成分を含む色、たとえば、緑や青についても電気信号が出力されることになり電気信号が出力され続けることになる。電気信号が出力され続けると、点灯開始点や点灯終了点の正確な判断ができないから、点灯周期の判定も不正確になる。そこで、カラーフィルター３９を設けて、選択基準色の点灯開始点や点灯終了点を正確に判断できるようにした。判定手段４１は、変換部４３、判定部４５、通信制御装置４７及びコンピュータ４９により構成してある。
【００４３】
図６を参照しながら、変換部４３と判定部４５について説明する。変換部４３は、並列接続した抵抗Ｒ１及びコンデンサＣ１により構成した回路であって、受光素子３７から出力された複雑な波形を整形して判定させやすくする機能を担っている。変換部４３が出力した電気信号は、判定部４５の主要部品であるコンパレータ４６の２番ピンに入力される。コンパレータ４６の３番ピンには基準電圧ｅが印加され、７番ピンから出力信号が出力される。基準電圧ｅは、電源電圧を抵抗Ｒ２と抵抗Ｒ３によって分割して得る。ここで、２番ピンから入力された電圧が基準電圧ｅより大きければＨｉｇｈ（選択基準色が点灯した）、それ以外ならばＬｏｗとして７番ピンから電気信号（次項で説明する）が出力されるようにしてある。出力された電気信号は、通信制御装置４７を介してコンピュータ４９に入力され、そこで、最終的な判定がなされる。
【００４４】
図７に示すグラフを参照しながら、コンパレータ４６から出力される電気信号について説明する。縦軸に示すのは出力電圧であって、Ｈｉｇｈは、受光素子３７が受光した特定色レベルが予め定めた閾値を超えた場合を、また、Ｌｏｗ、は、同じく閾値を超えなかった場合を、それぞれデジタル表示したものである。横軸は時間の経過を示している。ここで、本実施形態で採用した被選別多色ＬＥＤ９が、電源リセット後、赤→緑→青→黄色→水色→ピンク→白の順で繰り返し点灯するものであることは前述したとおりである。この前提において赤以外の色であって赤成分を含む色は、黄色、ピンク及び白の３色である。この３色に赤を含めた４色を、前記点灯順に見ると、黄色とピンクの間（水色の分）に赤が含まれず、その後、ピンク→白→赤の３色が連続している。そして、赤と次の黄色までの間（緑と青）に赤が含まれない。換言すると、黄色という１色分の時間に赤が含まれ、その後、１色分の間隔を空けて３色分の時間に赤が含まれる。さらに、赤と次の黄色までの２色分の間に赤が含まれないことになる。このことを、図７に示すグラフで見ると、Ｐ２とＰ３の間に間隔があり、Ｐ４とＰ５の間に間隔がある。さらに、Ｐ２及びＰ４の長さが略同じであり、Ｐ３及びＰ５の長さは略同じでありこの長さはＰ２（Ｐ４）の長さの略３倍である。Ｐ１とＰ２の間及びＰ３とＰ４の間は、いずれもＰ２（Ｐ４）の長さの略２倍である。このことから、Ｐ２及びＰ４が黄色であって、Ｐ３及びＰ５がピンク→白→赤の３色が連続したものであることが分かる。Ｐ１は、先行するピンク→白→赤の３色の途中の信号であるから、ここでは使用しない。ここで、たとえば、Ｐ２の立下り（電圧変化）からＰ４の立下り（電圧変化）をカウントする、すなわち、電圧変化の回数（ここでは５回）をカウントするまでの時間を計測することにより、被選別多色ＬＥＤ９の点灯周期Ｔを計測するのである。ここでは、Ｐ２の立下りをカウントの基準点としたが、他の立下り又は立ち上がりの中から任意に選んだ点を基準点として予め設定しておく。基準点の設定は、判定手段であるコンピュータ４９で行う。
【００４５】
ここで、同種同等の被選別多色ＬＥＤ群９を同時点灯させ、各々に対応する受光素子３７の各々から上記機能によって得た点灯周期Ｔを比較し、その差が所定範囲に入るか否かを判定することによって選別する。多色ＬＥＤ各々９をソケット３３から取り外すことにより選別作業を終了する。
【００４６】
（本実施形態の変形例）
前述した本実施形態に係る制御回路１は、トリガー信号Ｔｓの出力源としてタイマー５を有していた。このタイマー５の代わりに、本実施形態に係る制御回路１´では、図８に示すように、検出回路５５を備えている。その他の部位については、両者に異なる点はない。検出回路５５は、多色ＬＥＤ群９の中から１個を選び出し、その１個（複数でも全部でもよい）の多色ＬＥＤ９の所定終了色の点灯を待ってトリガー信号Ｔｓを出力するように構成してある。所定終了色の検出は、たとえば、図６に示す受光素子を用いた選別装置により行うことができる。多色ＬＥＤ９の所定終了色は白（ＲＧＢの成分をすべて持つ）なので、カラーフィルターによるフィルタリングになじみづらい場合は、カラーフィルターを省略してマルチカラーセンサーを受光素子として使用する方法もある。トリガー信号の出力源が異なる以外は、制御回路１´と制御回路１との間に異なる点はない。
【図面の簡単な説明】
【００４７】
【図１】ＬＥＤ制御回路を内蔵する電子機器（照明装置）の斜視図である。
【図２】図１に示す電子機器の右側面図である。
【図３】画像型選別装置の概略斜視図である。
【図４】画像側選別装置の動作原理を示す図である。
【図５】受光素子型選別装置のブロック図である。
【図６】受光素子型選別装置のブロック図である
【図７】受光素子型選別装置の出力波形を示すグラフ図である。
【図８】本実施形態の変形例に係るＬＥＤ制御回路を内蔵する電子機器の斜視図である。
【符号の説明】
【００４８】
１，１´            ＬＥＤ制御回路
３                  駆動回路
５                  タイマー
７，２９，４９      コンピュータ
９                  多色ＬＥＤ（群）
２１                  画像選別装置
２２，３２            ソケット基板
２３，３３            ソケット群
２５，３５            駆動電源
２７                  ＣＣＤカメラ
３９                  カラーフィルター
５５                  検出回路
【図１】
2008166139.tif 000003
【図２】
2008166139.tif 000004
【図３】
2008166139.tif 000005
【図４】
2008166139.tif 000006
【図５】
2008166139.tif 000007
【図６】
2008166139.tif 000008
【図７】
2008166139.tif 000009
【図８】
2008166139.tif 000010